(57)【特許請求の範囲】
【請求項１】
撮像素子からフレーム単位で順次出力されるＲＡＷ画像データを再生可能な画像データに画像処理してフレーム単位の処理済画像データを生成する画像処理部と、
前記ＲＡＷ画像データをフレーム毎に順次再生するために必要な、前記処理済画像データを記録する際に静止画撮影が行なわれたときの撮影条件をフレーム毎に取得する撮影条件取得部と、
フレーム単位の前記ＲＡＷ画像データと、フレーム単位の前記処理済画像データと、前記静止画撮影が行なわれたフレームの前記撮影条件とを順次記録媒体に記録する媒体記録部と
を備え、
前記撮影条件は、前記撮像素子からのデータの読出し領域における、前記処理済画像データに対する前記ＲＡＷ画像データの差分情報を含むことを特徴とする、記録装置。
【請求項２】
前記撮影条件は、静止画撮影時の解像度、前記ＲＡＷ画像データのフレーム内の一部の領域を切り出すための切り出し位置データ又は動画像再生用フレームとの位置関係データをさらに含むことを特徴とする、請求項１に記載の記録装置。
【請求項３】
フレーム単位のＲＡＷ画像データと、前記ＲＡＷ画像データを再生可能な画像データに画像処理したフレーム単位の処理済画像データと、前記処理済画像データを記録する際に静止画撮影が行なわれたときの撮影条件とがフレーム毎に順次記録された記録媒体から、各前記ＲＡＷ画像データ、各画像処理データ及び各前記撮影条件のうち少なくともいずれかを読み出すデータ読出部と、
前記ＲＡＷ画像データをフレーム毎に順次再生する際、前記読み出した撮影条件に基づいて、前記静止画撮影が行なわれたときの前記ＲＡＷ画像データを動画再生として画像処理をする画像処理部と
を備え、
前記撮影条件は、撮像素子からのデータの読出し領域における、前記処理済画像データに対する前記ＲＡＷ画像データの差分情報を含むことを特徴とする、再生装置。
【請求項４】
前記撮影条件は、静止画撮影時の解像度、前記ＲＡＷ画像データのフレーム内の一部の領域を切り出すための切り出し位置データ又は動画像再生用フレームとの位置関係データをさらに含むことを特徴とする、請求項３に記載の再生装置。
【請求項５】
撮像素子からフレーム単位で順次出力されるＲＡＷ画像データを再生可能な画像データに画像処理してフレーム単位の処理済画像データを生成するステップと、
前記ＲＡＷ画像データをフレーム毎に順次再生するために必要な、前記処理済画像データを記録する際に静止画撮影が行なわれたときの撮影条件をフレーム毎に取得するステップと、
フレーム単位の前記ＲＡＷ画像データと、フレーム単位の前記処理済画像データと、前記静止画撮影が行なわれたフレームの前記撮影条件とをフレーム毎に順次記録媒体に記録するステップと
を備え、
前記撮影条件は、前記撮像素子からのデータの読出し領域における、前記処理済画像データに対する前記ＲＡＷ画像データの差分情報を含むことを特徴とする、記録方法。
【請求項６】
フレーム単位のＲＡＷ画像データと、前記ＲＡＷ画像データを再生可能な画像データに画像処理したフレーム単位の処理済画像データと、前記処理済画像データを記録する際に静止画撮影が行なわれたときの撮影条件とがフレーム毎に順次記録された記録媒体から、各前記ＲＡＷ画像データ、各画像処理データ及び各前記撮影条件のうち少なくともいずれかを読み出すステップと、
前記ＲＡＷ画像データをフレーム毎に順次再生する際、前記読み出した撮影条件に基づいて、前記静止画撮影が行なわれたときの前記ＲＡＷ画像データを動画再生として画像処理をするステップと
を備え、
前記撮影条件は、撮像素子からのデータの読出し領域における、前記処理済画像データに対する前記ＲＡＷ画像データの差分情報を含むことを特徴とする、再生方法。
【請求項７】
撮像素子からフレーム単位で順次出力されるＲＡＷ画像データを再生可能な画像データに画像処理してフレーム単位の処理済画像データを生成する手段、
前記ＲＡＷ画像データをフレーム毎に順次再生するために必要な、前記処理済画像データを記録する際に静止画撮影が行なわれたときの撮影条件をフレーム毎に取得する手段、
フレーム単位の前記ＲＡＷ画像データと、フレーム単位の前記処理済画像データと、前記静止画撮影が行なわれたフレームの前記撮影条件とをフレーム毎に順次記録媒体に記録する手段
をコンピュータに実行させるためのプログラムであって、
前記撮影条件は、前記撮像素子からのデータの読出し領域における、前記処理済画像データに対する前記ＲＡＷ画像データの差分情報を含むことを特徴とする、プログラム。
【請求項８】
フレーム単位のＲＡＷ画像データと、前記ＲＡＷ画像データを再生可能な画像データに画像処理したフレーム単位の処理済画像データと、前記処理済画像データを記録する際に静止画撮影が行なわれたときの撮影条件とがフレーム毎に順次記録された記録媒体から、各前記ＲＡＷ画像データ、各画像処理データ及び各前記撮影条件のうち少なくともいずれかを読み出す手段、
前記ＲＡＷ画像データをフレーム毎に順次再生する際、前記読み出した撮影条件に基づいて、前記静止画撮影が行なわれたときの前記ＲＡＷ画像データを動画再生として画像処理をする手段
をコンピュータに実行させるためのプログラムであって、
前記撮影条件は、撮像素子からのデータの読出し領域における、前記処理済画像データに対する前記ＲＡＷ画像データの差分情報を含むことを特徴とする、プログラム。
【発明の詳細な説明】
【技術分野】
【０００１】
本発明は、記録装置、再生装置、記録方法、再生方法及びプログラムに関する。
【０００２】
動画を記録可能なビデオカメラ、カムコーダなどの撮像装置は、一般にＣＣＤ等の撮像素子の各画素から出力された信号に所定の画像処理（現像処理）を行った後、ＭＰＥＧ−２、Ｍｏｔｉｏｎ  ＪＰＥＧ等の圧縮処理を施し、フラッシュメモリやＨＤＤ、ＤＶＤ等の記録媒体に画像データの記録を行っている。
【０００３】
ここで、上記の画像処理とは、例えばホワイトバランス制御、露出制御などである。また、動画撮影時に静止画撮影を同時に行なう場合、静止画撮影が行なわれたフレームについて、動画再生用にフレームの一部を切り出す処理を行い、動画再生における解像度などに関して連続性を確保する。また、特許文献１では、動画撮影時には、撮像素子からの出力を間引き処理して動画像データを生成、記録し、動画撮影時に静止画撮影指示があったとき、間引き処理を行わない画像を圧縮符号化し、動画用画像データと静止画用画像データとを関連付けて記録する技術が開示されている。更に、特許文献２では、動画撮影時に静止画画像の撮影があったとき、静止画の圧縮符号化と並行して、動画用画像データからフレームを間引き処理して、間引き処理されたフレーム前後の画像データとのインターフレーム圧縮処理を行い、再生時に、この圧縮処理がされた動画用画像データを用いて、静止画データを補強する技術が開示されている。
【０００４】
【特許文献１】特許３８８１１６８号明細書
【特許文献２】特開２００６−４１８６１号公報
【発明の開示】
【発明が解決しようとする課題】
【０００５】
通常、画像処理をした後、圧縮処理が施されることによって、画像の記録再生品質は、圧縮処理が施される前のデータに比べて低下する。そのため、静止画を記録するデジタルカメラ等の撮像装置には、圧縮処理を行わずに撮像素子から出力された信号をＲＡＷ形式として直接記録するものがある。しかしながら、動画像を記録するカムコーダ等の撮像装置では、ＲＡＷ形式として記録する際に処理量が大きくなるため、縮小画像を保存して、縮小画像を現像作業などの作業時や撮像装置での再生時に利用する場合が多かった。
【０００６】
動画撮影時に静止画を記録する場合、通常、撮像素子からの読出しは、静止画の場合と動画の場合と異なるため、上述したとおり、静止画撮影が行なわれたフレームについて、動画再生用にフレームの一部を切り出す処理を行う。そして、この切り出し処理は、撮像素子の種類に応じて、静止画のうちのどの部分が動画と一致するかが異なり、更に、撮像装置の読出しモードによっても異なってくる。
【０００７】
そこで、本発明は、上記問題に鑑みてなされたものであり、本発明の目的とするところは、動画撮影時に静止画として記録したＲＡＷ画像データを用いて、動画再生をスムーズに行なうことが可能な、新規かつ改良された記録装置、再生装置、記録方法、再生方法及びプログラムを提供することにある。
【課題を解決するための手段】
【０００８】
上記課題を解決するために、本発明のある観点によれば、撮像素子からフレーム単位で順次出力されるＲＡＷ画像データを再生可能な画像データに画像処理してフレーム単位の処理済画像データを生成する画像処理部と、ＲＡＷ画像データをフレーム毎に順次再生するために必要な、処理済画像データを記録する際に静止画撮影が行なわれたときの撮影条件をフレーム毎に取得する撮影条件取得部と、フレーム単位のＲＡＷ画像データと、フレーム単位の処理済画像データと、静止画撮影が行なわれたフレームの撮影条件とをフレーム毎に順次記録媒体に記録する媒体記録部とを備えることを特徴とする記録装置が提供される。
【０００９】
上記撮影条件は、静止画撮影時の解像度、ＲＡＷ画像データのフレーム内の一部の領域を切り出すための切り出し位置データ又は動画像再生用フレームとの位置関係データであってもよい。
【００１０】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際に静止画撮影が行なわれたときの撮影条件とがフレーム毎に順次記録された記録媒体から、各ＲＡＷ画像データ、各画像処理データ及び各撮影条件のうち少なくともいずれかを読み出すデータ読出部と、ＲＡＷ画像データをフレーム毎に順次再生する際、読み出した撮影条件に基づいて、静止画撮影が行なわれたときのＲＡＷ画像データを動画再生として画像処理をする画像処理部とを備えることを特徴とする再生装置が提供される。
【００１１】
上記撮影条件は、静止画撮影時の解像度、ＲＡＷ画像データのフレーム内の一部の領域を切り出すための切り出し位置データ又は動画像再生用フレームとの位置関係データであってもよい。
【００１２】
また、上記課題を解決するために、本発明の別の観点によれば、撮像素子からフレーム単位で順次出力されるＲＡＷ画像データを再生可能な画像データに画像処理してフレーム単位の処理済画像データを生成するステップと、ＲＡＷ画像データをフレーム毎に順次再生するために必要な、処理済画像データを記録する際に静止画撮影が行なわれたときの撮影条件をフレーム毎に取得するステップと、フレーム単位のＲＡＷ画像データと、フレーム単位の処理済画像データと、フレーム単位の撮影条件とをフレーム毎に順次記録媒体に記録するステップとを備えることを特徴とする記録方法が提供される。
【００１３】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際に静止画撮影が行なわれたときの撮影条件とがフレーム毎に順次記録された記録媒体から、各ＲＡＷ画像データ、各画像処理データ及び各撮影条件のうち少なくともいずれかを読み出すステップと、ＲＡＷ画像データをフレーム毎に順次再生する際、読み出した撮影条件に基づいて、静止画撮影が行なわれたときのＲＡＷ画像データを動画再生として画像処理をするステップとを備えることを特徴とする再生方法が提供される。
【００１４】
また、上記課題を解決するために、本発明の別の観点によれば、撮像素子からフレーム単位で順次出力されるＲＡＷ画像データを再生可能な画像データに画像処理してフレーム単位の処理済画像データを生成する手段、ＲＡＷ画像データをフレーム毎に順次再生するために必要な、処理済画像データを記録する際に静止画撮影が行なわれたときの撮影条件をフレーム毎に取得する手段、フレーム単位のＲＡＷ画像データと、フレーム単位の処理済画像データと、フレーム単位の撮影条件とをフレーム毎に順次記録媒体に記録する手段をコンピュータに実行させるためのプログラムが提供される。
【００１５】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際に静止画撮影が行なわれたときの撮影条件とがフレーム毎に順次記録された記録媒体から、各ＲＡＷ画像データ、各画像処理データ及び各撮影条件のうち少なくともいずれかを読み出す手段、ＲＡＷ画像データをフレーム毎に順次再生する際、読み出した撮影条件に基づいて、静止画撮影が行なわれたときのＲＡＷ画像データを動画再生として画像処理をする手段をコンピュータに実行させるためのプログラムが提供される。
【発明の効果】
【００１６】
本発明によれば、動画撮影時に静止画として記録したＲＡＷ画像データを用いて、動画再生をスムーズに行なうことができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、図１を参照して、本発明の一実施形態に係る動画像記録装置１００について説明する。図１は、本実施形態に係る動画像記録装置１００の構成を示すブロック図である。
【００１９】
動画像記録装置１００は、図１に示すように、カメラ１０２、カメラ信号処理部１０４、フォーマット処理部１１０、現像処理部１２０、サイズ処理部１２２、ＪＰＥＧエンコーダ１２４、撮影条件制御部１３０、フォーマット処理部１３６、ファイル化処理部１４０、メディア記録部１５０、マイクロフォン１６０、音声信号処理部１６２、フォーマット処理部１６４を有して構成されている。
【００２０】
カメラ信号処理部１０４は、カメラ１０２の撮像素子（ＣＣＤ（Charge  Coupled  Device）、ＣＭＯＳ（Complementary  Metal  Oxide  Semiconductor）等のセンサー）から出力された１フレーム毎の動画像データが入力される。カメラ信号処理部１０４は、入力された信号をＡＤ変換するＡＤコンバータを含んでいる。カメラ信号処理部１０４から出力されたデジタル映像信号は、フォーマット処理部１１０と現像処理部１２０との双方へ送られる。
【００２１】
フォーマット処理部１１０では、撮像素子の画素配列（例えばベイヤー配列、３板ＣＣＤなど）に応じて、デジタル変換されたＲ，Ｇ，Ｂの各信号を並び換える処理をする。また、フォーマット処理部１１０では、フレーム内で可逆的な圧縮処理を動画像データに対して施す。可逆な圧縮方式による圧縮処理によって、画質などを低下させずに画像データを記録、再生することができる。可逆な圧縮方式には、例えば、ハフマン符号を用いたエントロピー符号化等がある。なお、可逆な圧縮方式は、厳密な「可逆」に限定されない。このように、フォーマット処理部１１０によるフォーマット処理では、ＲＡＷ画像データとしての画質を維持するため、画質を損なうような圧縮処理は施されない。一方、ＲＡＷ画像データは非常に大きなファイルサイズとなるため、冗長度の少ないデータに処理する。フォーマット処理部１１０でフォーマット処理された動画像データは、そのままＲＡＷ画像データとしてファイル化処理部１４０へ入力される。
【００２２】
現像処理部１２０では、入力された映像データに対して、ホワイトバランス処理、ベイヤー配列からの補間処理、ノイズ除去、輝度及び色補正等の一連の現像処理が行われる。現像処理部１２０で現像処理が行われたデータは、サイズ処理部１２２へ送られる。
【００２３】
サイズ処理部１２２は、動画像データのサイズを縮小又は拡大する処理を行う。また、サイズ処理部１２２は、動画撮影時に静止画撮影が行なわれたとき、動画用の解像度から静止画用の解像度に変更する処理を行う。サイズ処理部１２２から出力されたデータは、ＪＰＥＧエンコーダ１２４へ送られる。
【００２４】
また、サイズ処理部１２２では、必要に応じて、ＥＶＦ（Electronic  View  Finder）（図示せず。）、ＬＣＤ（Liquid  Crystal  Display）（図示せず。）などの表示装置の画面サイズに合わせて、動画像データのサイズを縮小する処理を行う。サイズ処理部１２２から出力されたデータは、ＥＶＦ、ＬＣＤに送られて、画面上に表示される。これにより、ユーザは、カメラ１０２で撮影された映像をリアルタイムで認識することができる。
【００２５】
ＪＰＥＧエンコーダ１２４は、入力されたデータに対してＪＰＥＧの圧縮符号化処理を施し、ファイル化処理部１４０へ圧縮画像データ（処理済画像データ）を送る。
【００２６】
撮影条件制御部１３０は、動画像記録装置１００がどのような撮影条件で撮影するかを制御する。例えば、撮影条件制御部１３０は、静止画撮影と動画撮影の切換え、動画撮影時における解像度の切換えである。撮影条件制御部１３０は、カメラ１０２、カメラ信号処理部１０４、フォーマット処理部１１０、現像処理部１２０、サイズ処理部１２２、ＪＰＥＧエンコーダ１２４、フォーマット処理部１６４に撮影条件を指示する。これらの各機能ブロックは、指示に応じて撮影条件を設定する。
【００２７】
そして、撮影条件制御部１３０は、撮影条件データをフォーマット処理部１３６に送る。フォーマット処理部１３６は、撮影条件データをフォーマット処理し、データをファイル化処理部１４０に送る。フォーマット処理部１３６は、撮影条件取得部の一例であり、ＲＡＷ画像データをフレーム毎に順次再生するために必要な、処理済画像データを記録する際に静止画撮影が行なわれたときの撮影条件制御部１３０が設定した撮影条件をフレーム毎に取得する。撮影条件は、静止画撮影時の解像度、ＲＡＷ画像データのフレーム内の一部の領域を切り出すための切り出し位置データ又は動画像再生用フレームとの位置関係データなどである。
【００２８】
ファイル化処理部１４０は、フォーマット処理部１１０から送られたＲＡＷ画像データや、ＪＰＥＧエンコーダ１２４で圧縮処理された圧縮画像データや、フォーマット処理部１３６から送られた撮影条件データを一時的に蓄積する。ファイル化処理部１４０に蓄積された圧縮画像データ、ＲＡＷ画像データ及び撮影条件データは、メディア記録部１５０へ送られ、記録メディアの記録フォーマットに従い記録メディアに記録される。記録メディアとしては、例えば、光学式記録媒体（ＣＤ、ＤＶＤ等）、光磁気ディスク、磁気ディスク、半導体記憶媒体などが挙げられる。
【００２９】
また、マイクロフォン１６０は、カメラ１０２による動画撮影と同時に被写体の音声を取得し、音声信号処理部１６２へ送る。音声信号処理部１６２は、入力された音声のアナログ信号をＡＤ変換するＡＤコンバータを含んでいる。音声信号処理部１６２から出力されたデジタル音声信号は、フォーマット処理部１６４へ送られる。フォーマット処理部１６４では、非圧縮のＰＣＭ方式、またはＡＤＰＣＭ方式、ＡＡＣ方式、ＡＣ３方式、ＭＰ３方式などの圧縮処理により、音声データをフォーマットする。フォーマット処理部１６４でフォーマットされた音声データは、ファイル化処理部１４０へ入力される。ファイル化処理部１４０は、音声データを一時的に蓄積する。
【００３０】
なお、図示しないが、動画像記録装置１００は、ホストＣＰＵが設けられる。ホストＣＰＵは、ファイル化処理部１４０からメディア記録部１５０へのデータ送信、及びメディア記録部１５０による記録メディアへのデータの記録を制御する。ホストＣＰＵは、ファイル化処理部１４０に蓄積されている圧縮画像データ、ＲＡＷ画像データ、音声データ及び撮影条件データを所定量毎（例えば、１フレームのデータ量毎）にメディア記録部１５０へ送り、記録メディアに順次に記録するように、ファイル化処理部１４０及びメディア記録部１５０を制御する。ホストＣＰＵは、圧縮画像データ、ＲＡＷ画像データ、音声データ及び撮影条件データを所定の順番で記録メディアに記録する。
【００３１】
なお、動画像記録装置１００における一連の処理は、ハードウェアで処理してもよいし、コンピュータ上のプログラムによるソフトウェア処理で実現してもよい。
【００３２】
以上のように構成された本実施形態の動画像記録装置１００では、カメラ１０２の撮像素子から出力されてＡＤ変換された映像デジタルデータが、フォーマット処理部１１０に送られ、ＲＡＷ画像データのまま記録メディアに記録される。従って、記録メディアには、高画質のＲＡＷ画像データが記録され、ＲＡＷ画像データを読み出して表示することで、圧縮された映像データに比べて、高画質の映像を再生することが可能となる。
【００３３】
一方、ＲＡＷ画像データはデータ量が多いため、ＲＡＷ画像データのままではＥＶＦ、ＬＣＤへのリアルタイム画面表示を行うことはできず、またＪＰＥＧ等の圧縮処理を直接行うことができない。本実施形態の動画像記録装置１００では、ＲＡＷ画像データの記録とともに、動画像データの現像処理、縮小処理、圧縮処理を行うため、撮影と同時にＥＶＦ、ＬＣＤへのリアルタイム表示を行うことができ、表示画面をモニタしながら撮影を行うことができる。また、記録メディアにはＲＡＷ画像データとともに圧縮処理された圧縮画像データが記録されるため、再生時には、圧縮画像データにより映像の検索、サムネイル表示等を行うことが可能である。これにより、映像中の重要な部分についてはＲＡＷ画像データによる高画質再生が可能となり、映像中で比較的重要度の低い部分については、圧縮画像データを高速に読み出すことで簡易的な再生が可能となる。
【００３４】
また、本実施形態の動画像記録装置１００は、ＲＡＷ画像データはそのまま保存し、ＲＡＷ画像データをフレーム毎に順次再生するために必要な、圧縮画像を記録する際、静止画撮影が行なわれたときの撮影条件と一緒にファイル化する。記録メディアにはＲＡＷ画像データとともに撮影条件データが記録されるため、再生時、ＲＡＷ画像データを現像処理する際、撮影条件データを読み出して現像処理することができる。その結果、静止画用フレームとして記録されたＲＡＷ画像データについても、動画再生用のフレームとして画像処理することができる。
【００３５】
次に、記録メディアにおける記録フォーマットについて説明する。図２は、動画像記録装置１００による、記録メディアへの記録のフォーマットを示す模式図である。撮像素子が例えばベイヤー配列の単板の場合には、出力されるデータはＲ：Ｇ：Ｂ＝１：２：１のベイヤー配列された画素の順番で出力される。動画像記録装置１００は、このベイヤー配列データについて画質を損なうことなく記録するため、フォーマット処理部１１０によりＲＧＢの順に並び替え、画質を損なうような圧縮処理を施すことなく記録する。
【００３６】
図２（Ａ）は、映像の記録開始（録画スタート）から記録停止（録画停止）までの間の１つの動画ファイルを示している。また、図２（Ｂ）は、図２（Ａ）の記録データのうち、１フレーム分のデータを示している。
【００３７】
ベイヤー配列のＲＧＢデータは、フォーマット処理部１１０により並べ替えられ、記録メディアのデータ領域に記録される。また、ＪＰＥＧエンコーダ１２４によりエンコードされた圧縮画像データ、及びフォーマット処理部１６４でフォーマットされた音声データも記録メディアのデータ領域に記録される。図２（Ａ）に示すように、記録フォーマットの先頭には、ヘッダー（Header）が記録される。ヘッダーには、撮影日時、カメラ１０２の撮像素子の情報、動画像記録装置１００のセット名称、オーディオのチャンネル数、ビット数、記録メディアの記録フォーマット情報、カメラ１０２のレンズの仕様データ等の全体的な情報が記録される。ヘッダーに続いて、映像の１フレーム毎にデータが記録される。
【００３８】
１フレーム毎のデータは、フレームヘッダー（Frame  Header  ０，１，・・・，ｎ）とフレーム毎のデータ（Ｆ０，  Ｆ１，・・・，Ｆｎ）から構成される。図２（Ｂ）に示すように、フレーム毎のデータは、音声データ（Audio）、圧縮画像データ（Compressed  Image）、ＲＡＷ画像データ（Ｇ，Ｂ，Ｒ）の順で、フレーム単位で繰り返し記録される。そして、最後のフレームＦｎのデータに続いて、フッター（Footer）が記録される。
【００３９】
各フレームのフレームヘッダーには、例えば、各フレームの音声データ、圧縮画像データ、ＲＡＷ画像データのデータサイズが記録される。また、各フレームのフレームヘッダーには、フレーム毎の撮影条件データが記録される。
【００４０】
次に、図３を参照して、静止画用に撮影されたＲＡＷ画像データを動画再生用にデータを切り出す例について説明する。図３は、本実施形態に係る撮像素子の撮像面を示す模式図である。
【００４１】
動画像記録装置１００を用いた動画の撮影では、撮像素子からフレーム単位で順次ＲＡＷ画像データが出力される。そして、動画撮影中に静止画像を撮影すると、動画用フレームの間に静止画用フレームが挿入される形式となる。例えば、図３（Ａ）は、順次出力されるフレームを示しており、Ｉ０〜Ｉ４，Ｉ６，Ｉ７が動画用フレームであり、Ｉ５が静止画用フレームである。また、静止画用フレームのサイズは、通常、動画用フレームのサイズよりも大きい。更に、静止画撮影にかかる時間は動画撮影の１フレーム間の時間よりも長いことが多く、静止画用フレームと動画用フレームとの間の時間は、動画撮影の２フレーム以上となる場合がある。
【００４２】
上記のように、静止画用フレームと動画用フレームのサイズは異なり、図３（Ｂ）に示すように、撮影時における撮像素子からのデータの読出し位置が異なる。即ち、静止画撮影では、動画像撮影時の領域よりも広い領域で撮影を行なっており、動画像撮影時の領域より外側の領域の撮像素子のデータも取り込む必要がある。従って、静止画撮影時の解像度、ＲＡＷ画像データのフレーム内の一部の領域を切り出すための切り出し位置データ又は動画像再生用フレームとの位置関係データ等を撮影条件として記録しておくことで、ＲＡＷ画像データを現像処理して再生する際スムーズな動画再生を行うことができる。
【００４３】
図３（Ｂ）に示す例では、動画撮影時のフレームの左上端を基準として座標を取り、静止画撮影時のフレームの左上端の座標を、画素位置を使用して例えば（Ｘ，Ｙ）で表現し、これを切り出し位置として記録する。また、動画用フレームと静止画用フレームとの違いを撮影条件として記録してもよく、例えば、フレームレートや解像度、画素領域の広さ、動画像再生用フレームとの位置関係に関するデータを撮影条件として記録してもよい。
【００４４】
次に、図４を参照して、図１の動画像記録装置１００で記録された動画像データを再生する動画像再生装置２００について説明する。図４は、本発明の一実施形態に係る動画像再生装置２００の構成を示すブロック図である。図４に示すように、動画像再生装置２００は、ホストＣＰＵ２０２、メディア読出部２１０、De-Multiplex２１２、画像位置情報抽出部２２０、音声信号処理部２３０、オーディオ出力部２３２、ＪＰＥＧデコード部２４０、領域切出部２５０、現像処理部２５２、サイズ処理部２５４、フレームレート変換部２５６、ＭＵＸ２６０、ビデオ出力部２６２を有して構成されている。
【００４５】
メディア読出部２１０は、ホストＣＰＵ２０２からの指令により、記録メディアからデータを読み出す。De-Multiplex２１２は、メディア読出部２１０から読み出したデータを一時的に溜め、音声信号処理部２３０、ＪＰＥＧデコード部２４０、領域切出部２５０のそれぞれに送る。
【００４６】
画像位置情報抽出部２２０は、フレームヘッダーに記録された撮影条件データを抽出し、ホストＣＰＵ２０２に送る。
【００４７】
ホストＣＰＵ２０２は、画像位置情報抽出部２２０から送られた撮影条件データに基づいて、現像処理部２５２、サイズ処理部２５４又はフレームレート変換部２５６における画像処理を制御する。これにより、記録メディアから撮影条件データが読み出された場合、そのデータに従って、現像処理、サイズ処理、フレームレート変換処理が行われるため、動画撮影中に静止画撮影が行われた場合でも、静止画用フレームを動画再生用フレームとして変換することができ、ＲＡＷ画像データに基づいた動画再生時もスムーズな動画再生を行うことができる。
【００４８】
音声信号処理部２３０は、音声データをデフォーマットし、デフォーマットされた信号をＤＡ変換し、オーディオ出力部２３２に送る。オーディオ出力部２３２は、アナログ変換されたオーディオ信号を外部に出力する。
【００４９】
また、ＪＰＥＧデコード部２４０は、圧縮画像データをデコードし、デコードされた映像データを縮小または拡大し、ＭＵＸ２６０へ送る。
【００５０】
また、領域切出部２５０は、ＲＡＷ画像データをベイヤーデフォーマットし、ベイヤー配列に並べ替えて現像処理部２５２へ送る。また、領域切出部２５０は、ホストＣＰＵ２０２を介して画像位置情報抽出部２２０から送られた撮影条件データに基づいて、動画再生のための切り出し量を算出し、静止画用フレームの一部の領域を切り出すクロップ処理をする。
【００５１】
現像処理部２５２は、デフォーマットされたＲＡＷ画像データに対して、ホワイトバランス処理、ベイヤー配列からの補間処理、ノイズ除去、輝度及び色補正等の一連の現像処理を行う。サイズ処理部２５４は、現像処理が行われたＲＡＷ画像データのサイズを縮小する処理を行う。フレームレート変換部２５６は、静止画撮影にかかる時間が動画撮影の１フレーム間の時間よりも長いとき、静止画用フレームを動画撮影のフレームレートに合わせて２以上のフレームを複製したりするなどの処理を行い、ＭＵＸ２６０へ送る。
【００５２】
ＭＵＸ２６０は、ＪＰＥＧデコード部２４０又はサイズ処理部２５４から送られた映像データを、ビデオ出力部２６２へ送る。ビデオ出力部２６２では、送られたデータをＤＡ変換し、アナログ信号データを外部に出力する。
【００５３】
なお、動画像再生装置２００における一連の処理は、ハードウェアで処理してもよいし、コンピュータ上のプログラムによるソフトウェア処理で実現してもよい。
【００５４】
以上のように構成された本実施形態の動画像再生装置２００では、メディア読出部２１０から読み出したファイルの中の各フレームヘッダーに記録された撮影条件データを用いて現像処理、サイズ処理を行う。そして、通常、動画像記録装置１００の撮像素子の違いや読出しモードの違いによって、静止画用フレームのどの位置が動画用フレームと一致するかが異なるが、動画像再生装置２００によれば、撮影条件をもとに静止画用フレームを動画用フレームに切り出すなどの処理を行うことができ、スムーズな再生を行なうことができる。
【００５５】
ＲＡＷ画像データの再生時には、記録メディアからＧ、Ｂ、Ｒの各ＲＡＷ画像データを読み出し、そのデータを現像処理することによって、ＲＡＷ画像データが映像信号化される。この信号は、所定の画像サイズに縮小処理されて、ビデオ出力部２６２にビデオ出力される。これにより、動画像再生装置２００によって、高画質な再生が可能となる。
【００５６】
圧縮画像データを再生する場合は、記録メディアからフレーム単位に圧縮画像データを順次に読み出すことで、圧縮画像データを再生することができる。この場合、読み出されるデータサイズはＲＡＷ画像データに比べて極めて小さい。ＪＰＥＧデコードされた映像信号を所定の画像サイズに縮小処理、または拡大処理して出力することで、ＲＡＷ画像データの再生に比べて軽い処理で再生を行うことが可能となる。このように、圧縮画像データによる簡易再生モードを活用することにより、動画像再生装置２００のハードウェア構成を大幅に削減できるとともに、消費電力を大幅に低減できる。
【００５７】
また、特殊再生モードとして、高速再生モードについても、ＪＰＥＧデータを用いることで、負荷の少ない処理が可能となる。この場合、再生の倍速率に合わせてフレームヘッダーのみをサーチしながら、音声データ、圧縮画像データ、ＲＡＷ画像データのデータサイズ情報から必要なフレームだけを飛び越し走査して圧縮画像データを読み出し、ＪＰＥＧデコードして読み出せばよい。逆転方向の再生も同様の方法を用いることで容易に実現可能である。
【００５８】
また、圧縮画像データを用いて、ファイルの中の撮影画像の一覧をサムネイル表示することも可能である。この場合、例えば複数の動画ファイルのそれぞれについて、１フレームの画像をサムネイル表示してもよいし、各動画ファイルを動画としてサムネイル表示してもよい。
【００５９】
以上説明したように本実施形態によれば、ＲＡＷ画像データと圧縮画像データの双方を関連付けて記録することができるため、高画質再生を行う場合はＲＡＷ画像データを使用し、リアルタイム表示、画像検索等では、データ量の少ない圧縮画像データを用いることができる。これにより、高画質かつ操作性の優れた動画像記録装置１００、および動画像再生装置２００を提供することが可能となる。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００６１】
【図１】本発明の一実施形態に係る動画像記録装置の構成を示すブロック図である。
【図２】動画像記録装置による、記録メディアへの記録のフォーマットを示す模式図である。
【図３】同実施形態に係る撮像素子の撮像面を示す模式図である。
【図４】同実施形態に係る動画像再生装置の構成を示すブロック図である。
【符号の説明】
【００６２】
１００      動画像記録装置
１０２      カメラ
１０４      カメラ信号処理部
１１０、１３６、１６４      フォーマット処理部
１２０      現像処理部
１２２      サイズ処理部
１２４      ＪＰＥＧエンコーダ
１３０      撮影条件制御部
１４０      ファイル化処理部
１５０      メディア記録部
１６０      マイクロフォン
１６２      音声信号処理部
２００      動画像再生装置
２０２      ホストＣＰＵ
２１０      メディア読出部
２１２      De-Multiplex
２２０      画像位置情報抽出部
２３０      音声信号処理部
２３２      オーディオ出力部
２４０      ＪＰＥＧデコード部
２５０      領域切出部
２５２      現像処理部
２５４      サイズ処理部
２５６      フレームレート変換部
２６０      ＭＵＸ
２６２      ビデオ出力部
【図１】
0005118465.tif 000002
【図２】
0005118465.tif 000003
【図３】
0005118465.tif 000004
【図４】
0005118465.tif 000005